(57)【特許請求の範囲】
【請求項１】
ケースの内部空間に収納されるムーブメントと、
前記ケースに配置されて前記ムーブメントと電気的に接続される付属機構と、
前記付属機構に付設されて前記付属機構と前記ムーブメントとを電気的に接続する導通部と、
前記ムーブメントの外側に配置されて前記導通部と弾性的に接触する接点バネ部と、
を含む携帯用電子機器であって、
前記ムーブメントと前記ケースとの間に配置される保持部材と、
前記導通部を前記保持部材に固定する保持手段と、
前記ムーブメントが前記ケースに収納された状態で、前記接点バネ部と前記導通部とを相対して接触させる位置決め手段と、
を備えることを特徴とする携帯用電子機器の構造。
【請求項２】
前記保持手段が、
前記保持部材に突設された保持突起と、
前記導通部に穿設された孔との係合である請求項１に記載の携帯用電子機器の構造。
【請求項３】
前記保持手段が、
前記導通部の係合を案内する案内手段を含む請求項２に記載の携帯用電子機器の構造。
【請求項４】
前記案内手段が、
前記導通部の縁辺と隣接するように突設された案内突起である請求項３に記載の携帯用電子機器の構造。
【請求項５】
前記位置決め手段が、
前記保持部材と前記ムーブメントとの係合である請求項１に記載の携帯用電子機器の構造。
【請求項６】
前記ムーブメントと前記保持部材とが凹凸係合する請求項５に記載の携帯用電子機器の構造。
【請求項７】
前記保持部材が、
前記ムーブメントに備えられたアース用突出部を通過させ、前記ケースの内壁との接触を許容する切り欠けを備える請求項１に記載の携帯用電子機器の構造。
【請求項８】
前記接点バネ部が、前記ムーブメント内の回路基板と導通するように前記ムーブメントに係合されたコイルスプリングである請求項１に記載の携帯用電子機器の構造。
【発明の詳細な説明】
【０００１】
【発明の属する技術分野】
本発明は、ムーブメントと、該ムーブメントに電気的に接続される付属機構とを備えた携帯用電子機器の構造に関する。
【０００２】
【従来の技術】
かかる携帯用電子機器は、実開昭６３−１２９８９４号公報、あるいは特開平３−２２９１９２号公報に開示される。
【０００３】
図９は、実開昭６３−１２９８９４号公報（従来例１）に係わる要部拡大断面図である。
図に示すように、携帯用電子機器であるセンサ付腕時計１００は、ケース１０１を備える。ケース１０１の表側にパッキン１１２を介して風防１１３が圧入固定される。かかるケース１０１の内部空間（内部の中空部分）が、ムーブメント１０８を収納するムーブメント収納部１０１Ａとなる。収納部１０１Ａに通じるように、ケース１０１の内側面にセンサ収納孔１０２が貫通する。そして、背面に電極部１０５を備えた付属機構であるセンサ１０３が、センサ収納孔１０２内に防水リング１０４を介して水密に取付けられる。また、導通部であるフレキシブル回路基板（以下、ＦＰＣと言う。）１０６の一端が、ネジ１０７により電極部１０５に取り付けられる。電極部１０５とＦＰＣ１０６とは、ガイド孔１０５ｂに嵌装された接点バネ１０５ａを介して電気的に接続される。
また、内部に電子部品を備えたムーブメント１０８の表側の面には文字板１０９が取付けられ、ムーブメント１０８の背面には回路基板１１０が露出して取り付けられる。
【０００４】
かかるセンサ１０３とムーブメント１０８とは、次のように電気的に接続される。まず、ムーブメント１０８を、ケース１０１の背面より収納部１０１Ａ内に挿入する。次いで、ネジ１１１により、ＦＰＣ１０６の他端を回路基板１１０に取り付ける。よって、付属機構であるセンサ１０３が、導通部であるＦＰＣ１０６を介して、ムーブメント１０８の回路基板１１０と電気的に接続される。
そして、ケース１０１の背面より裏蓋１１４を水密に固定する。
【０００５】
図１０は、特開平３−２２９１９２号公報（従来例２）に係わる要部拡大断面図である。
従来例１と同様に、携帯用電子機器であるセンサ付腕時計２００は、ケース２０１、その内部空間であるムーブメント収納部２０１Ａ、収納部２０１Ａに貫通するセンサ収納孔２０２を備える。そして、背面に電極部２０４を備えた付属機構であるセンサ２０３は、センサ収納孔２０２内に防水リング２０５を介して水密に取り付けられる。電極部２０４は、収納部２０１Ａの内側面に配置される。一方、ムーブメント２０６は、表側に文字板２１３を備え、センサ２０３の電極２０４と相対する外側面２０６Ａの所定の位置に、導通部である接点バネ部２０７を備える。
【０００６】
そして、ケース２０１の収納部２０１Ａ内にムーブメント２０６を収納すると、外側面２０６Ａに設けた接点バネ部２０７とセンサ２０３の電極２０４とが相対して接触する。よって、センサ２０３とムーブメント２０６とが、導通部である接点バネ部２０７を介して電気的に接続される。
また、図より、センサ付腕時計２００は、見返しリング２０８、パッキン２０９を介して固定される風防２１０、ベゼル２１４、ケース２０１に防水パッキン２１２を介して螺入される裏蓋２１１を備えることがわかる。
【０００７】
【発明が解決しようとする課題】
しかしながら、上記した従来例１には、次の問題点（１）があった。
（１）  ケース１０１の内部空間であるムーブメント収納部１０１Ａにムーブメント１０８を収納するとき、あるいはケース１０１よりムーブメント１０８を取り出すとき、付属機構であるセンサ１０３に付設された導通部であるＦＰＣ１０６とムーブメント１０８の回路基板１１０とをネジ１１１で締結したり、係るネジ１１１を外したりしなければならなかった。これは、携帯用電子機器であるセンサ付腕時計１００の組み立てと分解を煩雑な作業にしていた。
【０００８】
また、上記した従来例２には、次の問題点（２）〜（４）ガあった。
（２）  ケース２０１の内部空間であるムーブメント収納部２０１Ａにムーブメント２０６を収納するとき、かつケース２０１よりムーブメント２０６を取り出すとき、接点バネ部２０７と電極２０４とが擦れて、電極２０４を傷つけることがあった。係る結果、接点バネ部２０７と電極２０４との接触不良を生じることさえあった。
（３）  接点バネ部２０７をピンセットなどの工具で逐一撓めながら、ムーブメント２０６を収納したり、ムーブメント２０６を取り出す必要があった。これは、携帯用電子機器であるセンサ付腕時計２００の組み立てと分解を煩雑な作業にしていた。
（４）  ムーブメント２０６の接点バネ部２０７と、付属機構であるセンサ２０３とを隣接して配置しなければならなかった。結果、携帯用電子機器であるセンサ付腕時計２００の設計が大幅に制限されていた。
【０００９】
本発明は、係るに従来の携帯用電子機器の問題点に着目して成されたものである。本発明の目的とするところは、下記の通りである。
（１）  導通部を介して、付属機構とムーブメントとを容易に電気的に接続できる手段を提供すること。
（２）  ムーブメントの接点バネ部と付属機構の電極とが擦れず、接触不良を生じない手段を提供すること。
（３）  ムーブメントの接点バネ部と、付属機構とを自由に配置できる手段を提供すること。
【００１０】
【課題を解決するための手段】
上記の目的を達成するために、本発明は、
「前記接点バネ部を前記ムーブメントの背面に配置することと、前記導通部を前記内部空間の底面に固定する保持手段と、前記ムーブメントが前記ケースに収納された状態で、前記接点バネ部と前記導通部とを相対して接触させる位置決め手段とを備え、
前記保持手段が、前記ケースの底面に突設された保持突起と、前記導通部に穿設された孔との係合であること」を特徴とする。
【００１１】
かかる構成により、ケースの内部空間にムーブメントを収納すると、ムーブメントの背面に配置された接点バネ部と、保持手段によりケースの内部空間の底面に予め固定された付属機構の導通部とが、位置決め手段により相対して接触する。結果、ムーブメントと付属機構とが電気的に接続される。
ケースの内部空間にムーブメントを収納するとき、あるいはケースよりムーブメントを取り出すとき、接点バネ部と付属機構の電極が擦れることに起因して、電極を傷つける危険を排除できる。
また、従来のように接点バネ部を工具で逐一撓めながら、ムーブメントを収納したり、ムーブメントを取り出す必要が無いので、携帯用電子機器の組み立てと分解が容易になる。
【００１２】
また、本発明は、
「前記ムーブメントと前記ケースとの間に配置される保持部材と、前記導通部を前記保持部材に固定する保持手段と、前記ムーブメントが前記ケースに収納された状態で、前記接点バネ部と前記導通部とを相対して接触させる位置決め手段とを備えること」を特徴とする。
【００１３】
かかる構成により、ケースの内部空間にムーブメントを収納すると、ムーブメントの接点バネ部と、保持手段により保持部材に予め固定された付属機構の導通部とが、位置決め手段により相対して接触する。結果、ムーブメントと付属機構とが電気的に接続される。
保持部材を介在させたことにより、ムーブメントの接点バネ部と付属機構の導通部とを接触させる位置は、ケースの内部空間のいかなる位置にも設定できる。従来のように、ムーブメントの接点バネ部と、付属機構の電極とを隣接して配置する必要が無い。これは、携帯用電子機器の設計に係わる制約を大幅に排除できることを意味する。
【００１４】
また、前記保持手段が、前記ムーブメントと前記ケースとの間に配置される保持部材と前記導通部との係合であることが好ましい。
かかる構成により、ケースの内部空間にムーブメントを収納すれば、ムーブメントとケースとの間に、保持部材に係合された導通部が配置される。
これにより、極めて簡単な作業で、導通部をケースの内部空間に保持できる。
また、ケースと別体である保持部材は自由に動かせることができるので、ケースの内部空間が小さくとも、付属機構の導通部を保持部材に容易に係合させることができる。
【００１５】
また、前記保持手段が、前記保持部材に突設された保持突起と、前記導通部に穿設された孔との係合であることが好ましい。
かかる構成により、保持部材と導通部との係合が容易かつ確実であるばかりか、メインテナンスや修理の際に必要となる保持部材と導通部との分離も容易になる。
【００１６】
また、前記保持手段が、前記ケースの底面に突設された保持突起と、前記導通部に穿設された孔との係合であってもよい。
保持部材を廃して、ケースの内壁に保持突起や案内突起を形成することもできる。特に、ケースの素材が、複雑な形状の形成が容易な合成樹脂などである場合は奨励される。
【００１７】
また、前記保持手段が、前記導通部の係合を案内する案内手段を含むことが好ましい。
かかる案内手段を用いれば、保持部材と導通部との容易に係合できる。
【００１８】
また、前記案内手段が、前記導通部の縁辺と隣接するように突設された案内突起であることが好ましい。
かかる構成により、導通部の縁辺を案内突起に沿わせて移動させれば、保持突起と導通部の孔とを確実に相対させることができる。
【００１９】
また、前記位置決め手段が、前記ムーブメントと前記ケースとの間に配置される前記保持部材と前記ムーブメントとの係合であっても良い。
かかる構成により、保持部材にムーブメントを係合させれば、保持部材に係合された導通部とムーブメントの接点バネ部が確実に相対するように配置することができる。結果、保持部材を介して、接点バネ部と導通部とを確実に相対させて、ムーブメントと付属機構とを確実に接続させることができる。
また、保持部材は、付属機構とムーブメントの間にあって、保持手段と位置決め手段双方に協働する。これにより、保持手段と位置決め手段を保持部材１つで実現できるため、かかる携帯用電子機器を少ない部品点数で安価に製造できる。
【００２０】
また、前記ムーブメントと前記保持部材とが凹凸係合することが好ましい。
かかる構成により、ムーブメントと保持部材との係合が容易かつ確実であるばかりか、メインテナンスや修理の際に必要となるムーブメントと保持部材との分離も容易になる。
【００２１】
また、前記位置決め手段が、前記ケースの底面と前記ムーブメントの背面の凹凸係合であることであっても良い。
保持部材を廃して、ケースの内壁に凹凸係合に必要な凹部や凸部を形成しても良い。
【００２２】
また、前記保持部材が、前記ムーブメントに備えられたアース用突出部を通過させ、前記ケースの内壁との接触を許容する切り欠けを備えることが好ましい。
携帯用電子機器が、ケースを通じてムーブメントに流れる静電気をアースさせるため、ムーブメントとケースの内壁と導通を必要とする場合は、保持部材の切り欠けからケースの内壁を露出させ、アース用バネ部と接触させると良い。
【００２３】
また、前記接点バネ部が、前記ムーブメント内の回路基板と導通するように前記ムーブメントに係合されたコイルスプリングであることが好ましい。
かかる構成により、付属機構の導通部とムーブメントの接点バネ部とが弾性的に接触するので、携帯用電子機器に衝撃などが負荷されても、導通部と接点バネ部とが離間することなく、確実に接触を保つことができる。
また、ケースの内部空間にムーブメントを収納するとき、あるいはケースよりムーブメントを取り出すとき、コイルスプリングがムーブメントに係合されているので、コイルスプリングがムーブメントから脱離することがない。よって、携帯用電子機器の組み立てと分解に係わる作業性を高めることができる。
【００２４】
また、前記ケースに対して前記ムーブメントが周方向に回転することを抑止する回転止め手段を含み、前記回転止め手段が、前記ケースを貫通して前記ムーブメントに配された操作部材と前記ムーブメントの当接、あるいは前記操作部材を挿通するために前記ケースに貫通して配置されたパイプと前記ムーブメントの当接のうち、少なくともいずれか一方を含むことが好ましい。
かかる回転止め手段を併用すれば、ムーブメントが周方向に回転して、保持部材と導通部とが離間する危険を排除できる。
【００２５】
【発明の実施の形態】
以下、本発明の携帯用電子機器の実施例を、腕時計Ｗを例に、図１乃至図８に基づいて説明する。ただし、ここで言う背面とは、腕時計Ｗを手首に装着したときに手首に相対する面を示す。表側、あるいは表側の面とは、背面の反対側の面、すなわち通常時刻表示面が配置される面を示す。
【００２６】
携帯用電子機器である水圧センサ付き腕時計Ｗは、金属製のケース１、該ケース１に取り付けられる水圧センサ３０を含む付属機構３、該付属機構３に電気的に接続された導通部であるフレキシブル回路基板（以下、ＦＰＣと言う。）４、ＦＰＣ４を保持する保持部材５、ＦＰＣ４と電気的に接続するムーブメント６、およびケース１を密閉するベゼル９及び風防１０より大略構成される。
【００２７】
図１乃至図４に示すように、ケース１は、裏蓋の無いワンピース構造を成し、底部１２及び内壁１３に囲まれた内部空間を、ムーブメント収納部１１として備える。収納部１１は、ケース１の表側に開口する。ケース１の外側面に、外方に突出するセンサ収納部２が形成される。該センサ収納部２には、収納部１１より外方に貫通する孔が穿設される。かかる孔は、センサ収納孔２０と、それに続く挿通孔２１より成る。センサ収納孔２０は、その内部に付属機構３を収納する段付の孔であり、ケース１の外側面に臨んで開口する。挿通孔２１は、ケース１の内周壁１３に貫通し、付属機構３に付設されるＦＰＣ４を挿通する孔であり、センサ収納孔２０と連通する。
【００２８】
付属機構３は、図３及び図４に示すように保護板３１とセンサ３０と防水リング３２及び防水ケース３３により構成される。
センサ収納孔２０に防水ケース３３を圧入嵌装し、該防水ケース３３の収納部３３ａに防水リング３２を載置するとともに、内壁の周溝３３ｃとフランジ３０ｃとが嵌合するまでセンサ３０を圧入する。この際、防水リング３２は、センサ３０と防水ケース３３に挟持され防水性をより高める。
そして、センサ収納孔２０の外方よりセンサ３０のセンサ面３０ａを外部衝撃より保護する保護板３１を取付け固定する。該保護板３１に設けたセンサ孔３１ａを被測定物である海水が流入して、センサ面３０ａを満たす。よって、水圧が測定される。
かくして、付属機構３がケース１に取り付けられる。
【００２９】
また、センサ３０における収納部１１を向く面に、端子接続部３０ｂが備えられる。そして、該端子接続部３０ｂと、導通部であるＦＰＣ４の一端部に設けたセンサ接続端部４ａとが、ハンダ付け、接着、または熱溶着などの従来手段を用いて、電気的に導通されるように接続される。
付属機構３に付設されたＦＰＣ４は、挿通孔２１を通って、ムーブメント収納部１１内まで延びる。収納部１１内に有るＦＰＣ４の他端部には、ムーブメント接続端部４ｂが備えられる。該接続端部４ｂには、保持孔４０ａ、４０ｂと、電極４１ａ、４２ａ、４３ａ、４４ａとが備えられる。付属機構３の端子接続部３０ｂと、電極４１ａ、４２ａ、４３ａ、４４ａそれぞれとは、電極パターン４１、４２、４３、４４によって電気的に接続される。
【００３０】
また、図２に示すように、合成樹脂などの電気的に絶縁される絶縁部材より成る保持部材５が用意される。保持部材５は、略円盤形状を有する板を、扇型に切り欠いて成る。切り欠いた扇型部分が、切欠部５Ｂとして示される。保持部材５は、ケース１の底部１２に密接するように、ムーブメント収納部１１内に配置される。保持部材５は、ＦＰＣ４のムーブメント接続端部４ｂを、ケース１のムーブメント収納部１１の底部１２に固定する保持手段を担う。
詳しくは、保持部材５の表側の面５Ａの所定の位置に、ムーブメント用係合凸部５０ａ、５０ｂが表側に向けて突設される。また、面５Ａの所定の位置に、案内突起５１ａ、５１ｂが突設される。突起５１ａ、５１ｂの間に、保持突起５２ａ、５２ｂが突設される。
【００３１】
そして、図５乃至図６に示すように、ＦＰＣ４のムーブメント接続端部４ｂが、ケース１の底部１２に配置された保持部材５に保持される。すなわち、ＦＰＣ４のムーブメント接続端部４ｂの縁辺を案内突起５１ａ、５１ｂ間に沿わせて案内させつつ、接続端部４ｂを移動させる。そして、接続端部４ｂの保持孔４０ａ、４０ｂと、保持部材５の保持突起５２ａ、５２ｂとの位置を合致させる。次いで、保持孔４０ａ、４０ｂに保持突起５２ａ、５２ｂそれぞれを挿入して係合させる。かくして、ＦＰＣ４は、保持部材５に係合され、収納部１１内の底部１２に保持される。
【００３２】
かかるＦＰＣ４を底部１２に保持する保持手段は、保持部材５とＦＰＣ４との係合が容易、かつ確実であるばかりか、メンテナンスや修理の際に必要となる保持部材５とＦＰＣ４との分離も容易である。かつ、ケース１と別体である保持部材５は、自由に動かすことができるので、ケース１のムーブメント収納部１１が小さくとも、付属機構３のＦＰＣ４を保持部材５に容易に係合できる。
また、上記したムーブメント用係合凸部５０ａ、５０ｂと案内突起５１ａ、５１ｂ及び保持突起５２ａ、５２ｂは、ケース１の底部１２にそれぞれ対向して一体に凸設しもよい。
【００３３】
他方、図２乃至図３及び図７に示すように、ムーブメント６は、表側の面に表示部８と背面（裏面）に接点バネ部７を備える。該表示部８は、時、分、秒を表示する３針を配置した文字盤１８を備える。該文字盤１８は、センサ３０による測定結果を表示するセンサ表示部１９を含む。
ムーブメント６の外周に支持固定部１６が配置される。支持固定部１６の外周面には、複数の支持凸部１６ａが凸設され、かつ所定の位置に位置決め凹部１６ｂが凹設される。該位置決め凹部１６ｂに、リューズ１４が挿通される巻真孔６４が穿孔される。さらに、かかる支持固定部１６には、操作部材である複数のプッシュボタン１５が挿通されるプッシュボタン孔６５がボタン１５と同数穿孔される。
【００３４】
また、ムーブメント６に、その背面に寄せて回路パターンや各種電子部品（図示せず）を搭載した回路基板７１がネジや係止爪等により取り付けらる。また、ムーブメント６の背面には、アース用突出部であるアースバネ１７が切り曲げられて突出する。アースバネ１７は、ケース１を通じてムーブメント６に流れる静電気を人体を介してアースさせるため、ムーブメント６とケース１の底部１２とを電気的に導通させるものである。
【００３５】
回路基板７１の背面には、電気的絶縁性と耐磁性を有する保持板７０が備えられる。該保持板７０には、ムーブメント用係合凸部５０ａ、５０ｂと相対する所定の箇所に位置決め孔７０ａ、７０ｂが穿孔される。かつＦＰＣ４と弾性的に接触する接点バネ部７が備えられる。該接点バネ部７は、保持板７０にバネ孔７１ａ、７２ａ、７３ａ、７４ａを穿孔し、かかるバネ孔にコイルスプリングより成る接点バネ２７をそれぞれ挿入して構成される。接点バネ２７の一端が接点端部２７ａ、他端が係止端部２７ｂとして図示される。係止端部２７ｂがバネ孔７１ａ、７２ａ、７３ａ、７４ａにおける回路基板７１に面する開口の縁に形成された係止凹部７１ｂ、７２ｂ、７３ｂ、７４ｂに引っ掛かり、接点バネ２７の抜脱が防止される。よって、接点バネ２７がムーブメント６の背面に係止される。かつ、接点バネ２７と回路基板７１とが電気的に接続される。
【００３６】
さて、センサ付き腕時計Ｗの組み立てについて説明する。
まず、ムーブメント６をケース１の内部空間であるムーブメント収納部１１にムーブメント６を入れる。そして、図８に見るように、収納部１１内に予め収められた保持部材５のムーブメント用係合凸部５０ａ、５０ｂが、ムーブメント６の位置決め孔７０ａ、７０ｂにそれぞれ挿入する。よって、ムーブメント６と保持部材５とが係合して位置決めされる。詳しくは、底部１２の面に沿った、ムーブメント６と保持部材５との相対的な移動、回転、ズレが抑止される。よって、保持部材５に係合されたＦＰＣ４とムーブメント６の接点バネ部７が確実に相対される。
【００３７】
そして、図６に示されるように、接点バネ２７それぞれが、保持部材５に保持されたＦＰＣ４のムーブメント接続端部４ｂにおける電極４１ａ、４２ａ、４３ａ、４４ａそれぞれと相対して弾性的に接触する。よって、保持部材５を介して、接点バネ部７とＦＰＣ４とが電気的に接続され、ムーブメント６と付属機構３とが電気的に接続される。
このとき、アースバネ１７は、保持部材５の切欠部５Ｂを通過して、ケース１の底部１２に接触する。
このように、ムーブメント６を保持部材５に係合させるだけで、ムーブメント６と付属機構３とが、容易に、かつ確実に、電気的に接続される。かつ、ムーブメント収納部１１にムーブメント６を収納するだけで、ムーブメント６とケース１との間に、保持部材５に係合されたＦＰＣ４が挟持され、ＦＰＣ４を収納部１１に保持できる。
【００３８】
保持部材５は、付属機構３とムーブメント６の間にあって、ＦＰＣ４の保持する保持手段と、ＦＰＣ４とムーブメント６の接点バネ部７との位置決め手段の双方の役を担う。これは、部品点数を削減する。
また、ムーブメント収納部１１にムーブメント６を収納するとき、あるいは収納部１１よりムーブメント６を取り出すとき、接点バネ部７の接点バネ２７と付属機構３に付設されたＦＰＣ４の電極４１ａ、４２ａ、４３ａ、４４ａが擦れることが無い。よって、かかる電極を傷つける危険を排除できる。これは、ケース１に対するムーブメント６の進入方向に沿って、接点バネ部７とＦＰＣ４の電極を相対させたからである。
さらに、従来のように接点バネ部７を工具で逐一撓めながら、ムーブメント６を収納したり、ムーブメント６を取り出す必要が無い。よって、組み立てと分解が容易になる。
【００３９】
また、ムーブメント６の接点バネ部７と付属機構３に付設されたＦＰＣ４とを接触させる位置は、ケース１のいかなる位置にも設定できる。よって、従来に比べ、設計上の制約を大幅に排除できる。
また、ＦＰＣ４とムーブメント６の接点バネ部７とが弾性的に接触するので、センサ付き腕時計Ｗに衝撃などが負荷されても、ＦＰＣ４と接点バネ部７とが離間すること無く、確実に接触する。
また、接点バネ２７がムーブメント６に係合されているため、接点バネ２７がムーブメント６から離脱しない。これも、組み立てや分解を容易にする。
【００４０】
さて、次に、ムーブメント６の巻真孔６４に、ケース１の外方よりリューズ１４を挿入して取り付ける。このとき、位置決め凹部１６ｂとリューズ１４を案内するパイプ１４Ａとが当接することにより、ケース１に対して収納されたムーブメント６が周方向に回転することを抑止する。よって、ケース１に対するムーブメント６の回転止め手段が構成される。
かかる回転止め手段は、位置決め凹部１６ｂとパイプ１４Ａとの当接のみに限らず、プッシュボタン１５とプッシュボタン孔６５との当接も、同様の効果を成す。上記した回転止め手段を併用することにより、ムーブメント６が周方向に回転しても保持部材５と導通部であるＦＰＣ４とが離間する危険を排除できる。
また、支持凸部１６ａをケース１の内壁１３に接触し、ムーブメント６のガタつきを抑える。
【００４１】
さらに、ベゼルである上部ケース９にパッキン２９を介して風防１０が備えられる。上部ケース９の外周に周設された周溝９ａに断面略Ｌ字形状を有するパッキン３９を取付け、ケース１の段部１１Ａに圧入する。よって、上部ケース９がケース１に固定され、ムーブメント収納部１１が水密に密閉される。かくして、センサ付き腕時計Ｗが構成される。
【００４２】
そして、センサ３０のセンサ面３０ａで検出された水圧等の測定データは、センサ３０の電気回路により電気信号に変換されて、付属機構３に付設されたＦＰＣ４の電極パターン４１、４２、４３、４４に導通し、電極４１ａ、４２ａ、４３ａ、４４ａから相対するバネ孔７１ａ、７２ａ、７３ａ、７４ａに取り付けられた接点バネ２７の接点端部２７ａに入力される。そして、係止端部２７ｂより回路基板７１に出力され、所定の信号処理をされて、文字盤１８に備えられたセンサ表示部１９に予め設定された所定の単位の測定値を表示する。
【００４３】
また、ムーブメント用係合凸部５０ａ、５０ｂは、その頂部が細いテーパ形状を成す円柱とすると良い。かつ、相対する位置決め孔７０ａ、７０ｂは、奥の狭いテーパ形状を成す孔とすると良い。すると、ムーブメント６と保持部材５との係合が容易且つ確実であるばかりか、メンテナンスや修理の際に必要となるムーブメント６と保持部材５との分離も容易になる。
【００４４】
以上、本実施例は、水圧センサを備えた腕時計として例示した。しかしながら、本発明は、水圧センサに限らず、温度センサ、圧力センサ、あるいは磁気センサ等の外部環境を測定する様々なセンサを備えた腕時計にも適用できる。さらにまた、付属機構はセンサのみに限定されるものでは無く、ムーブメントと電気的に接続されるものであれば何であっても良い。かつ、本発明は、腕時計以外の携帯用電子機器にも適用できる。
【００４５】
【発明の効果】
以上のように構成された本発明に係わる携帯用電子機器の構造によれば、以下の効果が得られた。
（１）  導通部を介して、付属機構とムーブメントとが容易に電気的に接続できるため、作業性の向上とコストダウンを図ることができた。
（２）  ムーブメントの接点バネ部と付属機構の電極とが擦れず、接触不良を生じないため、信頼性と品質が向上した。
（３）  ムーブメントの接点バネ部と、付属機構とを隣接して配置する必要がないため、設計の自由度が大幅に高まった。
【図面の簡単な説明】
【図１】本発明の実施形態に於ける携帯用電子機器の構造の正面図である。
【図２】同携帯用電子機器の構造の分解斜視図である。
【図３】同携帯用電子機器の構造の一部破断した主要断面図である。
【図４】同携帯用電子機器の構造の付属機構部分の分解斜視図である。
【図５】同携帯用電子機器の構造のムーブメントを外した状態の正面図である。
【図６】図５に於けるイ部の拡大図である。
【図７】同携帯用電子機器の構造のムーブメントの背面分解斜視図である。
【図８】（ａ）は、同携帯用電子機器の構造のケースにムーブメントを収納前の状態を示す主要断面図である。
（ｂ）は、同携帯用電子機器の構造のケースにムーブメントを収納した状態を示す主要断面図である。
【図９】従来例１於ける携帯用電子機器の構造の要部拡大断面図である。
【図１０】従来例２於ける携帯用電子機器の構造の要部拡大断面図である。
【符号の説明】
Ｗ    センサ付き腕時計
１    ケース
２    センサ収納部
３    付属機構
４    フレキシブル回路基板（ＦＰＣ）
４ａ  センサ接続端部
４ｂ  ムーブメント接続端部
５    保持部材
５Ａ  表側の面
５Ｂ  切欠部
６    ムーブメント
７    接点バネ部
８    表示部
９    ベゼル
９ａ  周溝
１０  風防
１１  ムーブメント収納部
１２  底部
１３  内壁
１４  リューズ
１４Ａ  パイプ
１５  プッシュボタン
１６  支持固定部
１６ａ  支持凸部
１６ｂ  位置決め凹部
１７  アースバネ
１８  文字盤
１９  センサ表示部
２０  センサ収納孔
２１  挿通孔
２７  接点バネ
２７ａ  接点端部
２７ｂ  係止端部
２９、３９  パッキン
３０  センサ
３０ａ  センサ面
３０ｂ  端子接続部
３０ｃ  フランジ
３１  保護板
３１ａ  センサ孔
３２  防水リング
３３  防水ケース
３３ａ  収納部
３３ｃ  周溝
４０ａ、４０ｂ  保持孔
４１、４２、４３、４４  電極パターン
４１ａ、４２ａ、４３ａ、４４ａ  電極
５０ａ、５０ｂ  ムーブメント用係合凸部
５１ａ、５１ｂ  案内突起
５２ａ、５２ｂ  保持突起
６４  巻真孔
６５  プッシュボタン
７０  保持板
７０ａ、７０ｂ  位置決め孔
７１  回路基板
７１ａ、７２ａ、７３ａ、７４ａ  バネ孔
７１ｂ、７２ｂ、７３ｂ、７４ｂ  係止凹部
【図１】
0003789637.tif 000002
【図２】
0003789637.tif 000003
【図３】
0003789637.tif 000004
【図４】
0003789637.tif 000005
【図５】
0003789637.tif 000006
【図６】
0003789637.tif 000007
【図７】
0003789637.tif 000008
【図８】
0003789637.tif 000009
【図９】
0003789637.tif 000010
【図１０】
0003789637.tif 000011